(57)【要約】【課題】接続状態では意に反して接続が解除されることを抑制する一方、接続を解除する際には解除作業を容易に行えるようにする。【解決手段】上腕パーツ３６に、軸部４８を軸部４８の軸方向と直交する方向に通過させて上腕パーツ３６の外側へ案内する先端側案内通過部７２ａを設け、固定具４５は、雄ネジ部材４６と雌ネジ部材４７とが螺合した状態で、フランジ部４９と押さえ部５１とが上腕パーツ３６及び前腕パーツを圧縮して挟持することにより上腕パーツ３６と上腕パーツ３６とを接続する。【選択図】図４
2019183956.tif 000002
【特許請求の範囲】
【請求項１】
可撓性を有する板状の部材からなり第１孔部を備える第１板状部材と、可撓性を有する板状の部材からなり第２孔部を備える第２板状部材と、上記第１板状部材と上記第２板状部材とを接続する固定具とを備える板状部材の接続構造であって、
上記固定具は、
上記第１板状部材及び上記第２板状部材のうち一方と当接するフランジ部と、該フランジ部から延びかつねじ山が形成され上記第１孔部及び上記第２孔部に挿通される軸部とを有する雄ネジ部材と、
上記第１板状部材及び上記第２板状部材のうち他方と当接する押さえ部と、上記軸部と螺合するねじ孔とを有する雌ネジ部材とからなり、
上記第１板状部材には、上記軸部を該軸部の軸方向と直交する方向に通過させて該第１板状部材の外側へ案内する第１案内通過部が形成され、
上記固定具は、上記雄ネジ部材と上記雌ネジ部材とが螺合した状態で、上記フランジ部と上記押さえ部とが上記第１板状部材及び上記第２板状部材を圧縮して挟持することにより該第１板状部材と該第２板状部材とを接続することを特徴とする板状部材の接続構造。
【請求項２】
請求項１に記載の板状部材の接続構造において、
上記第１案内通過部は、上記第１板状部材の外周縁と上記第１孔部との間にスリット状に設けられ、
上記第１案内通過部の上記軸部が通過する方向に直交する方向の幅は、該軸部の軸径よりも小さく設定されていることを特徴とする板状部材の接続構造。
【請求項３】
請求項１又は２に記載の板状部材の接続構造において、
上記第２板状部材には、上記軸部を該軸部の軸方向と直交する方向に通過させて該第２板状部材の外側へ案内する第２案内通過部が形成されていることを特徴とする板状部材の接続構造。
【請求項４】
請求項１〜３のいずれか１項に記載の板状部材の接続構造において、
上記第１板状部材は、長尺状に形成されかつ、上記第１孔部を長手方向一端部に備え、上記第１案内通過部を長手方向一端縁と上記第１孔部との間に長手方向に延びるように備えることを特徴とする板状部材の接続構造。
【請求項５】
請求項１〜４のいずれか１項に記載の板状部材の接続構造において、
上記固定具は、透明であることを特徴とする板状部材の接続構造。
【請求項６】
請求項１〜５のいずれか１項に記載の板状部材の接続構造において、
上記第１板状部材及び上記第２板状部材は、ダンボール紙からなることを特徴とする板状部材の接続構造。
【請求項７】
請求項１〜６のいずれか１項に記載の板状部材の接続構造において、
上記第１板状部材及び上記第２板状部材のうち、上記フランジ部および上記押さえ部で挟持される部分には、該フランジ部及び該押さえ部に対応する形状の切込みが形成されていることを特徴とする板状部材の接続構造。
【発明の詳細な説明】
【技術分野】
【０００１】
本発明は、板状部材の接続構造に関するものである。
【背景技術】
【０００２】
この種の板状部材の接続構造として、従来、例えば特許文献１には、厚紙等のシート材からなる衝立部と支持フレームとが接続された接続構造が開示されている。この接続構造では、衝立部は、長孔スリット状の掛止め部を備え、支持フレームにはビスの軸部が挿通されている。そして、この長孔スリット状の掛止め部を軸部に掛止めすることで衝立部と支持フレームとを接続している。
【先行技術文献】
【特許文献】
【０００３】
【特許文献１】特開２００１−２５２１５６号公報
【発明の概要】
【発明が解決しようとする課題】
【０００４】
しかし、特許文献１のものでは、長孔スリット状の掛止め部は単に軸部に掛止めされているだけなので、接続の強度が弱く、外力によって長孔スリット状の掛止め部が軸部から外れてしまい、衝立部と支持フレームとの接続が解除されてしまうおそれがあった。このため、長孔スリット状の切欠き状の掛止め部の代わりに孔部を設けて孔部にビス等の固定具の軸部を挿通することが考えられる。
【０００５】
ところで、例えば、このような板状部材により構成された構造物を廃棄する場合や持ち運びする場合等においては、各々の接続を解除する必要がある。この場合、衝立部と支持フレームとの接続を解除するときには、固定具を支持フレーム等から取り外す必要があり、接続の解除の作業に手間がかかってしまうという問題がある。
【０００６】
本発明はかかる点に鑑みてなされたものであり、その目的とするところは、板材の接続構造において、接続状態では意に反して接続が解除されることを抑制する一方、板状部材の接続を解除する際には解除作業を容易に行えるようにすることにある。
【課題を解決するための手段】
【０００７】
第１の発明は、可撓性を有する板状の部材からなり第１孔部を備える第１板状部材と、可撓性を有する板状の部材からなり第２孔部を備える第２板状部材と、上記第１板状部材と上記第２板状部材とを接続する固定具とを備える板状部材の接続構造であって、上記固定具は、上記第１板状部材及び上記第２板状部材のうち一方と当接するフランジ部と、該フランジ部から延びかつねじ山が形成され上記第１孔部及び上記第２孔部に挿通される軸部とを有する雄ネジ部材と、上記第１板状部材及び上記第２板状部材のうち他方と当接する押さえ部と、上記軸部と螺合するねじ孔とを有する雌ネジ部材とからなり、上記第１板状部材には、上記軸部を該軸部の軸方向と直交する方向に通過させて該第１板状部材の外側へ案内する第１案内通過部が形成され、上記固定具は、上記雄ネジ部材と上記雌ネジ部材とが螺合した状態で、上記フランジ部と上記押さえ部とが上記第１板状部材及び上記第２板状部材を圧縮して挟持することにより該第１板状部材と該第２板状部材とを接続することを特徴とする。
【０００８】
第２の発明は、第１の発明において、上記第１案内通過部は、上記第１板状部材の外周縁と上記第１孔部との間にスリット状に設けられ、上記第１案内通過部の上記軸部が通過する方向に直交する方向の幅は、該軸部の軸径よりも小さく設定されていることを特徴とする。
【０００９】
第３の発明は、第１又は第２の発明において、上記第２板状部材には、上記軸部を該軸部の軸方向と直交する方向に通過させて該第２板状部材の外側へ案内する第２案内通過部が形成されていることを特徴とする。
【００１０】
第４の発明は、第１〜第３の発明のいずれか１つにおいて、上記第１板状部材は、長尺状に形成されかつ、上記第１孔部を長手方向一端部に備え、上記第１案内通過部を長手方向一端縁と上記第１孔部との間に長手方向に延びるように備えることを特徴とする。
【００１１】
第５の発明は、第１〜第４の発明のいずれか１つにおいて、上記固定具は、透明であることを特徴とする。
【００１２】
第６の発明は、第１〜第５の発明のいずれか１つにおいて、上記第１板状部材及び上記第２板状部材は、ダンボール紙からなることを特徴とする。
【００１３】
第７の発明は、第１〜第６の発明のいずれか１つにおいて、上記第１板状部材及び上記第２板状部材のうち、上記フランジ部および上記押さえ部で挟持される部分には、該フランジ部及び該押さえ部に対応する形状の切込みが形成されていることを特徴とする。
【発明の効果】
【００１４】
第１の発明によれば、雄ネジ部材と雌ネジ部材とを螺合により締め込むことで、第１板状部材及び第２板状部材を圧縮させて強く挟持して接続することができる。一方、雄ネジ部材と雌ネジ部材との螺合が緩められると、軸部は、雄ネジ部材と雌ネジ部材とが結合した状態で、第１案内通過部を通過することができる。このため、板材の接続の解除の作業の際に、雄ネジ部材を雌ネジ部材から外すことなく第１板状部材と第２板状部材との接続を解除することができる。したがって、板材の接続構造において、接続状態では意に反して接続が解除されることを抑制する一方、板状部材の接続を解除する際には解除作業を容易に行えるようにすることができる。
【００１５】
第２の発明によれば、軸部が第１案内通過部を通過するには、第１案内通過部の縁部を変形させる必要がある。このため、軸部が第１案内通過部を通過し難くなる。したがって、意に反して接続が解除されることを確実に抑制することができる。
【００１６】
第３の発明によれば、軸部を第１案内通過部及び第２案内通過部を通過させることで、雄ネジ部材と雌ネジ部材とが螺合した状態で固定具を第１板状部材及び第２板状部材から外すことができる。このため、固定具と各板状部材とを容易に分解することができる。
【００１７】
第４の発明によれば、第１板状部材を長手方向に引っ張ることで第１板状部材から固定具を外すことができる。また、第１案内通過部の長手方向の寸法を短くすることができる。このため、板材の接続の解除の作業をさらに容易にすることができる。
【００１８】
第５の発明によれば、第１板状部材及び第２板状部材が固定具で接続された状態であっても、固定具が透明であれば固定具と対向する第１案内通過部を透けて目視することができる。このため、軸部を案内する方向が確認でき、板材の接続の解除の作業を容易にすることができる。
【００１９】
第６の発明によれば、第１板状部材及び第２板状部材がダンボール紙であれば、ダンボール紙の潰れ変形により、各板状部材を圧縮させ易くなる。このため、第１板状部材及び第２板状部材を強く挟持して、意に反して接続が解除されることをさらに抑制することができる。
【００２０】
第７の発明によれば、切込みにより、挟持される部分が厚み方向に変形し易くなる。このため、フランジ部と押さえ部との圧縮挟持がより効果的になり、第１板状部材及び第２板状部材を強く挟持して、意に反して接続が解除されることをさらに抑制することができる。
【図面の簡単な説明】
【００２１】
【図１】本発明の実施形態１に係るダンボール製マネキンの全体構成を示す正面図である。
【図２】上腕パーツ及び前腕パーツの構成を示す図である。
【図３】上腕パーツと前腕パーツとが接続された状態示す図である。
【図４】上腕パーツと前腕パーツとが接続された状態示す断面図である。
【図５】本発明の実施形態２に係る陳列台の構成を示す図である。
【図６】台部及び側壁部の構成を示す図である。
【図７】台部と側壁部とが接続された状態を示す図である。
【発明を実施するための形態】
【００２２】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２３】
（実施形態１）
実施形態１について説明する。本実施形態では、図１に示すように、複数の接続構造７０を備えたダンボール製マネキン１０を例示する。
【００２４】
−全体構成−
図１に示すように、ダンボール製マネキン１０は、ダンボール紙で構成された人体を模した複数の板状のパーツが接続構造７０により組み合わされ、支柱１５によって立設姿勢となるように支持されている。
【００２５】
ダンボール製マネキン１０は、主に、胴体部分を構成する胴体パーツ２０と、頭部分を構成する頭パーツ３０と、上肢部分を構成する上肢パーツ３５と、下肢部分を構成する下肢パーツ４０とを有する。
【００２６】
胴体パーツ２０の肩部２１の前側（図１における手前側）には、上肢パーツ３５が取り付けられている。胴体パーツ２０の腰部２５の前側には、下肢パーツ４０が取り付けられている。支柱１５の上端部は、胴体パーツ２０の背面側で腰部２５よりも上方位置に取り付けられている。支柱１５の下端部は、土台６０に保持されている。
【００２７】
上肢パーツ３５は、上腕部分を構成する上腕パーツ３６と、前腕部分を構成する前腕パーツ３７と、手部分を構成する手パーツ３８とを有する。上腕パーツ３６の基端部は、接続構造７０の一部を構成する固定具４５を介して胴体パーツ２０の肩部２１の前側に回動可能に支持されている。前腕パーツ３７の基端部は、固定具４５を介して上腕パーツ３６の先端部の前側に回動可能に支持されている。手パーツ３８の基端部は、固定具４５を介して前腕パーツ３７の先端部の前側に回動可能に支持されている。
【００２８】
下肢パーツ４０は、大腿部分を構成する大腿パーツ４１と、下腿部分を構成する下腿パーツ４２と、足部分を構成する足パーツ４３とを有する。大腿パーツ４１の基端部は、固定具４５を介して胴体パーツ２０の腰部２５の前側に回動可能に支持されている。下腿パーツ４２の基端部は、固定具４５を介して大腿パーツ４１の先端部の前側に回動可能に支持されている。足パーツ４３の基端部は、固定具４５を介して下腿パーツ４２の先端部の前側に回動可能に支持されている。
【００２９】
ここで、固定具４５は、各パーツを厚み方向の両側から挟持する一対の部材で構成されている。固定具４５は、雄ネジ部材４６と雌ネジ部材４７とを備えている。各パーツの接続構造７０については後述する。
【００３０】
ダンボール製マネキン１０には、シャツ１を着せたり、ズボン２や靴３を履かせることで、商品の展示を行うことができる。また、頭パーツ３０の顔部３１の耳周辺に孔をあけておけば、眼鏡やサングラスを着用することもできる。また、頭パーツ３０の頭部に帽子を被せてもよい。このように、シャツ１やズボン２以外にも様々なアイテムをダンボール製マネキン１０に装着することで、ディスプレイの表現の幅を広げることができる。
【００３１】
−接続構造−
次に、固定具４５によって各パーツ同士が接続された接続構造７０を説明する。なお、以下の説明では、第１板状部材として上腕パーツ３６を例示し、第２板状部材として前腕パーツ３７を例示して、上腕パーツ３６と前腕パーツ３７との接続構造７０について説明する。本実施形態の接続構造７０は、図３及び図４に示すように、上腕パーツ３６と、前腕パーツ３７と、固定具４５とを備えている。接続構造７０では、上腕パーツ３６の先端部と前腕パーツ３７の基端部とが重ね合わされた状態で、固定具４５によって挟持されている。
【００３２】
〈上腕パーツ〉
図２に示すように、第１板状部材としての上腕パーツ３６は、ダンボール紙の板材により構成されている。上腕パーツ３６は長尺状に形成されている。上腕パーツ３６は、第１孔部としての先端側孔部７１ａと、第１案内通過部としての先端側案内通過部７２ａと、基端側孔部７４ａと、基端側案内通過部７５ａとを備えている。
【００３３】
先端側孔部７１ａは、上腕パーツ３６の長手方向先端部に形成された貫通孔である。上腕パーツ３６の前面における先端側孔部７１ａの外周側には、先端側孔部７１ａと同心円状の切込み７３ａが形成されている。
【００３４】
先端側案内通過部７２ａは、上腕パーツ３６の先端縁と先端側孔部７１ａとの間に切欠かれたスリット状に設けられている。すなわち、先端側孔部７１ａは、先端側案内通過部７２ａによって先端側に開放されている。先端側案内通過部７２ａは、上腕パーツ３６の長手方向に沿って延びている。先端側案内通過部７２ａは、先端側孔部７１ａの直径よりも幅寸法が小さくなるように形成されている。先端側案内通過部７２ａは、上腕パーツ３６が変形することで、後述する雄ネジ部材４６の軸部４８を上腕パーツ３６の長手方向に通過させて軸部４８を上腕パーツ３６の外側へ案内可能に構成されている。
【００３５】
基端側孔部７４ａは、上腕パーツ３６の長手方向基端部に形成された貫通孔である。上腕パーツ３６の前面における基端側孔部７４ａの外周側には、基端側孔部７４ａと同心円状の切込み７６ａが形成されている。
【００３６】
基端側案内通過部７５ａは、上腕パーツ３６の基端縁と基端側孔部７４ａとの間に切欠かれたスリット状に設けられている。すなわち、基端側孔部７４ａは、基端側案内通過部７５ａによって基端側に開放されている。基端側案内通過部７５ａは、上腕パーツ３６の長手方向に沿って延びている。基端側案内通過部７５ａは、基端側孔部７４ａの直径よりも幅寸法が小さくなるように形成されている。基端側案内通過部７５ａは、上腕パーツ３６が変形することで、後述する雄ネジ部材４６の軸部４８を上腕パーツ３６の長手方向に通過させて軸部４８を上腕パーツ３６の外側へ案内可能に構成されている。
【００３７】
〈前腕パーツ〉
図２に示すように、第２板状部材としての前腕パーツ３７は、ダンボール紙の板材により構成されている。前腕パーツ３７は、長尺状に形成されている。上述したように、前腕パーツ３７は、上腕パーツ３６の前側に位置して上腕パーツ３６と接続されている。前腕パーツ３７は、先端側孔部７１ｂと、先端側案内通過部７２ｂと、第２孔部としての基端側孔部７４ｂと、第２案内通過部としての基端側案内通過部７５ｂとを備えている。
【００３８】
先端側孔部７１ｂは、前腕パーツ３７の長手方向先端部に形成された貫通孔である。前腕パーツ３７の前面における先端側孔部７１ｂの外周側には、先端側孔部７１ｂと同心円状の切込み７３ｂが形成されている。
【００３９】
先端側案内通過部７２ｂは、前腕パーツ３７の先端縁と先端側孔部７１ｂとの間に切欠かれたスリット状に設けられている。すなわち、先端側孔部７１ｂは、先端側案内通過部７２ｂによって先端側に開放されている。先端側案内通過部７２ｂは、前腕パーツ３７の長手方向に沿って延びている。先端側案内通過部７２ｂは、先端側孔部７１ｂの直径よりも幅寸法が小さくなるように形成されている。先端側案内通過部７２ｂは、前腕パーツ３７が変形することで、後述する雄ネジ部材４６の軸部４８を前腕パーツ３７の長手方向に通過させて軸部４８を前腕パーツ３７の外側へ案内可能に構成されている。
【００４０】
基端側孔部７４ｂは、前腕パーツ３７の長手方向基端部に形成された貫通孔である。前腕パーツ３７の基端側孔部７４ｂは、上腕パーツ３６の先端側孔部７１ａと同じ大きさである。図４に示すように、前腕パーツ３７は、前腕パーツ３７の基端側孔部７４ｂが上腕パーツ３６の先端側孔部７１ａと一致するように上腕パーツ３６と重ね合わされている。前腕パーツ３７の前面における基端側孔部７４ｂの外周側には、基端側孔部７４ｂと同心円状の切込み７６ｂが形成されている。
【００４１】
基端側案内通過部７５ｂは、前腕パーツ３７の基端縁と基端側孔部７４ｂとの間に切欠かれたスリット状に設けられている。すなわち、基端側孔部７４ｂは、基端側案内通過部７５ｂによって基端側に開放されている。基端側案内通過部７５ｂは、前腕パーツ３７の長手方向に沿って延びている。基端側案内通過部７５ｂは、基端側孔部７４ｂの直径よりも幅寸法が小さくなるように形成されている。基端側案内通過部７５ｂは、前腕パーツ３７が変形することで、後述する雄ネジ部材４６の軸部４８を前腕パーツ３７の長手方向に通過させて軸部４８を前腕パーツ３７の外側へ案内可能に構成されている。
【００４２】
〈固定具〉
図３及び図４に示すように、固定具４５は、上腕パーツ３６の先端部と前腕パーツ３７の基端部とを圧縮挟持して接続している。固定具４５は、雄ネジ部材４６と雌ネジ部材４７とを備えている。固定具４５は、透明樹脂により構成されている。
【００４３】
雄ネジ部材４６は、フランジ部４９と軸部４８とを備えている。フランジ部４９は、円形の板状に形成されている。フランジ部４９は、上腕パーツ３６の先端側の切込み７３ａに対応する形状であり、上腕パーツ３６に当接して食い込んでいる。
【００４４】
フランジ部４９は後方に湾曲状に突出する凸部５０を備えている。凸部５０は、フランジ部４９の直径に沿うように延びている。軸部４８は、フランジ部４９の中心から前方に向かって延びている。軸部４８にはねじ山が形成されている。軸部４８は、上腕パーツ３６の先端側孔部７１ａと前腕パーツ３７の基端側孔部７４ｂとに挿通されている。軸部４８は、軸径が、各孔部７１ａ，７４ｂの直径と略同一でありかつ各案内通過部７２ａ，７５ｂの幅よりも大きくなるように構成されている。
【００４５】
雌ネジ部材４７は、雄ネジ部材４６に螺合されている。雌ネジ部材４７は、押さえ部５１と凸部５２とを備えている。押さえ部５１は、円形の板状に形成され、直径がフランジ部４９の直径と同じである。押さえ部５１は、前腕パーツ３７の基端側の切込み７６ｂに対応する形状であり、前腕パーツ３７に当接して食い込んでいる。
【００４６】
凸部５２は、押さえ部５１の前面から前方に湾曲状に突出している。凸部５２は、押さえ部５１の直径に沿うように延びている。凸部５２には、押さえ部５１の中心線に沿うようにねじ孔５３が形成されている。雄ネジ部材４６の軸部４８は、ねじ孔５３に螺合している。
【００４７】
このように、雄ネジ部材４６と雌ネジ部材４７とが螺合して締め込まれることで、上腕パーツ３６の先端部と前腕パーツ３７の基端部とは、フランジ部４９と押さえ部５１とによって圧縮挟持される。上腕パーツ３６及び前腕パーツ３７の切込み７３ａ，７６ｂは、フランジ部４９及び押さえ部５１に対応した形状になっている。上腕パーツ３６及び前腕パーツ３７のうち切込み７３ａ，７６ｂの内側の部分は、固定具４５によって挟持される被挟持部７９となる。
【００４８】
また、雄ネジ部材４６と雌ネジ部材４７とを締め込むときは、まず、雄ネジ部材４６の軸部４８を上腕パーツ３６の先端側孔部７１ａと前腕パーツ３７の基端側孔部７４ｂとに挿通する。そして、基端側孔部７４ｂから前方に突出する軸部４８に対して雌ネジ部材４７のねじ孔５３を螺合させて、雄ネジ部材４６と雌ネジ部材４７とを締め込む。雄ネジ部材４６と雌ネジ部材４７とを締め込む強さは、接続構造７０が適用される部位によって変更してもよい。各パーツを所定の傾斜角度で保持できるようにしたい場合は、固定具４５の締め付け量を強くすることができる。一方、各パーツの傾斜角度を可変にしたい場合は、固定具４５の締め付け量を比較的弱くすることができる。
【００４９】
−実施形態１の効果−
本実施形態によれば、固定具４５の雄ネジ部材４６と雌ネジ部材４７とを螺合により締め込むことで、上腕パーツ３６及び前腕パーツ３７を圧縮させて強く挟持して接続することができる。一方、雄ネジ部材４６と雌ネジ部材４７との螺合が緩められると、軸部４８は、雄ネジ部材４６と雌ネジ部材４７とが結合した状態で、上腕パーツ３６の先端側案内通過部７２ａ及び前腕パーツ３７の基端側案内通過部７５ｂを通過することができる。このため、上腕パーツ３６と前腕パーツ３７との接続の解除の作業の際に、雄ネジ部材４６を雌ネジ部材４７から外すことなく接続を解除することができる。したがって、板材の接続構造７０において、接続状態では意に反して接続が解除されることを抑制する一方、板状部材の接続を解除する際には解除作業を容易に行えるようにすることができる。また、固定具４５と上腕パーツ３６と前腕パーツ３７とを容易に分解することができる。
【００５０】
また、軸部４８が各案内通過部７２ａ，７５ｂを通過するには、通過する案内通過部の縁部を変形させる必要がある。このため、軸部４８が案内通過部７２ａ，７５ｂを通過し難くなる。したがって、意に反して接続が解除されることを確実に抑制することができる。
【００５１】
さらに、上腕パーツ３６及び前腕パーツ３７の少なくとも一方を長手方向に引っ張ることで接続を解除することができる。また、各案内通過部７２ａ，７５ｂの長手方向の寸法を短くすることができる。このため、パーツ同士の接続の解除の作業をさらに容易にすることができる。
【００５２】
さらに、上腕パーツ３６及び前腕パーツ３７が固定具４５で接続された状態であっても、固定具４５が透明であるので、固定具４５と対向する案内通過部を透けて目視することができる。このため、軸部４８を案内する方向が確認でき、パーツ同士の接続の解除の作業を容易にすることができる。
【００５３】
さらに、各パーツがダンボール紙であるので、ダンボール紙の潰れ変形により、各パーツを圧縮させ易くなる。このため、上腕パーツ３６及び前腕パーツ３７を強く挟持して、意に反して接続が解除されることをさらに抑制することができる。
【００５４】
さらに、切込み７３ａ，７６ｂにより、被挟持部７９が厚み方向に変形し易くなる。このため、フランジ部４９と押さえ部５１との圧縮挟持がより効果的になり、上腕パーツ３６及び前腕パーツ３７を強く挟持して、意に反して接続が解除されることをさらに抑制することができる。
【００５５】
（実施形態２）
実施形態２について説明する。本実施形態の接続構造は、例えば図５に示すような商品を展示するダンボール製の陳列台１１に適用したものである。ここでは、本実施形態の接続構造について、実施形態１の接続構造と異なる点を説明する。
【００５６】
本実施形態では、固定具４５によって各パーツ同士が接続された接続構造８０を説明する。なお、以下の説明では、第１板状部材として水平に設けられた台部８１を例示し、第２板状部材として陳列台１１の側壁部８２を例示して、台部８１と側壁部８２との接続構造８０について説明する。また、「上」、「下」、「前」、「後」、「右」及び「左」は、特に言及しない限り、図５に示す方向に従って説明する。
【００５７】
図５に示すように、台部８１は、水平に設けられ商品等を支持する本体部８３と、本体部８３の左右方向両端部に設けられ、側壁部８２と重なるように上下方向に延びる接続端部８４とを備えている。接続端部８４は、台部８１の左右方向両端部を折り曲げることによって形成されている。図６に示すように、接続端部８４には、第１孔部８５と、第１案内通過部８６とが前端部と後端部とに並んで形成されている。第１案内通過部８６は、第１孔部８５と下端縁との間に設けられ、上下方向に延びている。すなわち、第１案内通過部８６は、下方に開放するように切欠かれたスリット状に形成されている。なお、図６では、第１案内通過部８６は、第１孔部８５の直径よりも幅寸法が小さくなるように形成されているが、第１案内通過部８６の幅寸法は、第１孔部８５の直径と等しくしてもよい。第１孔部８５の外周側には第１孔部８５と同心円状の切込み８９が形成されている。
【００５８】
側壁部８２は、陳列台１１の左右方向両端部に、それぞれが対面するようにかつ上下方向に延びるように設けられている。
【００５９】
側壁部８２の上端部には、第２孔部８８が前端部と後端部とに並んで形成されている。第２孔部８８は、第１孔部８５に対応する前後方向の位置に設けられている。なお、側壁部８２には、第２案内通過部が設けられていない。
【００６０】
図７に示すように、台部８１の接続端部８４と側壁部８２の上端部とは、固定具４５が螺合して締め込まれることで、フランジ部４９と押さえ部５１とによって圧縮挟持されて接続される。
【００６１】
本実施形態によれば、第１案内通過部８６は、下方に開放するスリット状であり、側壁部８２は、案内通過部を有しておらず、第２孔部８８は端縁に開放されていない。このため、固定具４５が螺合した状態で、台部８１と側壁部８２との接続を解除するには、台部８１を上方に引っ張る必要がある。言い換えると、台部８１を重力の反対方向に変位させる必要がある。したがって、意に反して接続が解除されることを抑制することができる。
【００６２】
（その他の実施形態）
上記実施形態では、各案内通過部として、板状部材を切欠くようにスリット状に設けられた案内通過部を例示したが、本発明はこれに限定されない。例えば、案内通過部としては、板状部材を切断して設けられたスリットにしてもよい。また、案内通過部は、軸部との相対移動により破断するミシン目にしてもよい。
【００６３】
上記実施形態では、可撓性を有する板状部材としてダンボール紙を例示したが、本発明はこれに限定されない。板状部材としては、例えば、発泡材やエラストマー等により構成された部材が挙げられる。すなわち、板状部材は、可撓性を有し、固定具によって圧縮されるものであればよい。
【産業上の利用可能性】
【００６４】
本発明は、板状部材の接続構造に有用である。
【符号の説明】
【００６５】
３６  上腕パーツ（第１板状部材）
３７  前腕パーツ（第２板状部材）
４５  固定具
４６  雄ネジ部材
４７  雌ネジ部材
４８  軸部
４９  フランジ部
５１  押さえ部
５３  ねじ孔
７０  接続構造
７１ａ  先端側孔部（第１孔部）
７２ａ  先端側案内通過部（第１案内通過部）
７３ａ  切込み
７４ｂ  基端側孔部（第２孔部）
７５ｂ  基端側案内通過部（第２案内通過部）
７６ｂ  切込み
８０  接続構造
８１  台部（第１板状部材）
８２  側壁部（第２板状部材）
８５  第１孔部
８６  第１案内通過部
８８  第２孔部
８９  切込み
【図１】
2019183956.tif 000003
【図２】
2019183956.tif 000004
【図３】
2019183956.tif 000005
【図４】
2019183956.tif 000006
【図５】
2019183956.tif 000007
【図６】
2019183956.tif 000008
【図７】
2019183956.tif 000009